(57)【要約】【課題】  抵抗体の配置作業効率、設計の自由度を向上させる。【解決手段】  抵抗長算出部５は、入力部３から指定された、指定抵抗値に従って、指定配線の幅と同じか、あるいはそれ以下の幅を有する抵抗体の長さを算出する。配置判定部７は、指定配線の長さと上記指定抵抗値の抵抗体の長さとを比較し、指定配線上に、指定抵抗値の抵抗体が配置可能であるか否かを判断する。抵抗体発生部８は、指定配線上に指定抵抗値の抵抗体が配置可能である場合に、指定配線上にその経路に沿って配置される、指定配線の幅と同じか、もしくはそれ以下の幅を有する抵抗体を発生する。提示制御部９は、抵抗体が配置できない場合に、足りない配線長を表示部４に表示する一方、抵抗体が配置可能である場合に、上記発生された抵抗体を表示部４に表示する。【選択図】  図１
2005309730.tif 000002
【特許請求の範囲】
【請求項１】
基板の製造過程に基板上に配置される受動素子を設計する基板設計装置であって、
前記基板上の指定された配線上に該配線の経路に沿って、指定された電気的特性の受動素子が配置可能であるか判断する配置判定手段と、
前記配置判定手段により、前記指定された電気的特性の受動素子が指定された配線上に該配線の経路に沿って配置可能であると判断された場合、前記指定された配線上に該配線の経路に沿って前記指定された電気的特性の受動素子を発生する受動素子発生手段と
を具備することを特徴とする基板設計装置。
【請求項２】
基板の製造過程に基板上に配置される抵抗体を設計する基板設計装置であって、
前記基板上の指定された抵抗値の抵抗体を前記基板上の指定された配線上に該配線の経路に沿って配置した場合における前記抵抗体の長さを算出する抵抗長算出手段と、
前記指定された配線の長さと前記抵抗体の長さとに基づいて、前記指定された抵抗値の抵抗体が配置可能であるか判断する配置判定手段と、
前記配置判定手段により、前記指定された抵抗値の抵抗体が前記指定された配線上に該配線の経路に沿って配置可能であると判断された場合、前記指定された配線上に該配線の経路に沿って、前記指定された抵抗値の抵抗体を発生する抵抗体発生手段と
を具備することを特徴とする基板設計装置。
【請求項３】
前記配置判定手段により、前記指定された抵抗値の抵抗体が前記指定された配線上に該配線の経路に沿って配置可能と判断された場合、前記抵抗体発生手段により発生された抵抗体の形状をオペレータに提示する提示手段を具備することを特徴とする請求項２記載の基板設計装置。
【請求項４】
前記配置判定手段により、前記指定された抵抗値の抵抗体が前記指定された配線上に該配線の経路に沿って配置不可と判断された場合、足りない配線長をオペレータに提示する提示手段を具備することを特徴とする請求項２または３記載の基板設計装置。
【請求項５】
前記抵抗体は、前記指定された配線に隣接する配線に電気的、物理的に干渉しない許容範囲内の幅を有することを特徴とする請求項２ないし４のいずれかに記載の基板設計装置。
【請求項６】
基板の製造過程に基板上に配置される受動素子を設計する基板設計方法であって、
前記基板上の指定された抵抗値の抵抗体を前記基板上の指定された配線上に該配線の経路に沿って配置した場合における前記抵抗体の長さを算出し、
前記指定された配線の長さと前記抵抗体の長さとに基づいて、前記指定された抵抗値の抵抗体が配置可能であるか判断し、
前記配置判定手段により、前記指定された抵抗値の抵抗体が前記指定された配線上に該配線の経路に沿って配置可能であると判断された場合、前記指定された配線上に該配線の経路に沿って、前記指定された抵抗値の抵抗体を発生することを特徴とする基板設計方法。
【請求項７】
前記指定された抵抗値の抵抗体が前記指定された配線上に該配線の経路に沿って配置可能と判断された場合、前記抵抗体発生手段により発生された抵抗体の形状をオペレータに提示することを特徴とする請求項６記載の基板設計方法。
【請求項８】
前記指定された抵抗値の抵抗体が前記指定された配線上に該配線の経路に沿って配置不可と判断された場合、足りない配線長をオペレータに提示することを特徴とする請求項６記載の基板設計方法。
【請求項９】
前記抵抗体は、前記指定された配線に隣接する配線に電気的、物理的に干渉しない許容範囲内の幅を有することを特徴とする請求項６ないし８のいずれかに記載の基板設計方法。
【請求項１０】
基板の製造過程に基板上に配置される抵抗体を設計する基板設計プログラムであって、
前記基板上の指定された抵抗値の抵抗体を前記基板上の指定された配線上に該配線の経路に沿って配置した場合における前記抵抗体の長さを算出する抵抗長算出ステップと、
前記指定された配線の長さと前記抵抗体の長さとに基づいて、前記指定された抵抗値の抵抗体が配置可能であるか判断する判断ステップと、
前記指定された抵抗値の抵抗体が前記指定された配線上に該配線の経路に沿って配置可能であると判断された場合、前記指定された配線上に該配線の経路に沿って、前記指定された抵抗値の抵抗体を発生する抵抗体発生ステップと
をコンピュータに実行させることを特徴とする基板設計プログラム。
【請求項１１】
前記抵抗体は、前記指定された配線に隣接する配線に電気的、物理的に干渉しない許容範囲内の幅を有することを特徴とする請求項１０記載の基板設計プログラム。
【発明の詳細な説明】
【技術分野】
【０００１】
本発明は、基板設計装置、基板設計方法および基板設計プログラムに関する。
【背景技術】
【０００２】
従来より、プリント基板においては、プリント基板の製造時に、抵抗体を表層（第１層）にスクリーン印刷等の技術を用いて形成する製造技術が知られている（例えば特許文献１参照）。
【０００３】
また、多層プリント基板においても、部品実装密度を上げるために、内層に上記抵抗器、コンデンサ、コイル等の部品を形成する製造技術が知られている（例えば特許文献２、特許文献３参照）。
【０００４】
一般に、プリント基板の表層または内層に抵抗体を形成する場合、ミアンダ（蛇行）パターンと呼ばれる形状が用いられる。ミアンダ形状の例としては、例えば、半導体集積回路に抵抗体を形成する際に、上記ミアンダ形状を用いる製造技術が知られている（例えば特許文献４参照）。
【０００５】
従来、プリント基板の設計においては、表層または内層に抵抗体を形成する場合、所望する抵抗値に応じて、決まった形状（占有面積）のミアンダ形状の抵抗体が画一的に選択される。そして、該抵抗体が基板上に配置可能なスペースがあるか判断し、配置可能なスペースがあれば、そのスペースに配置していた。
【特許文献１】特開２００２−２８０６９９号公報
【特許文献２】特開平９−１８１４５１号公報
【特許文献３】特開２００４−３１４７６号公報
【特許文献４】特開平７−１５２８０５号公報
【発明の開示】
【発明が解決しようとする課題】
【０００６】
しかしながら、上述した従来技術では、所望する抵抗値に応じて、一意に決まるミアンダ形状の抵抗体が選択されるため、基板上に抵抗体を設計する際に、設計者が抵抗体の形状（占有領域の形状）を変更することができず、設計の自由度が著しく制限されるという問題があった。
【０００７】
本発明は、このような事情を考慮してなされたものであり、その目的は、抵抗体の配置作業効率、設計の自由度を向上させることができる基板設計装置、基板設計方法および基板設計プログラムを提供することにある。
【課題を解決するための手段】
【０００８】
この発明は上記の課題を解決すべくなされたもので、基板の製造過程に基板上に配置される受動素子を設計する基板設計装置であって、前記基板上の指定された配線上に該配線の経路に沿って、指定された電気的特性の受動素子が配置可能であるか判断する配置判定手段と、前記配置判定手段により、前記指定された電気的特性の受動素子が指定された配線上に該配線の経路に沿って配置可能であると判断された場合、前記指定された配線上に該配線の経路に沿って前記指定された電気的特性の受動素子を発生する受動素子発生手段とを具備することを特徴とする。
【０００９】
また、この発明は上記の課題を解決すべくなされたもので、基板の製造過程に基板上に配置される抵抗体を設計する基板設計装置であって、前記基板上の指定された抵抗値の抵抗体を前記基板上の指定された配線上に該配線の経路に沿って配置した場合における前記抵抗体の長さを算出する抵抗長算出手段と、前記指定された配線の長さと前記抵抗体の長さとに基づいて、前記指定された抵抗値の抵抗体が配置可能であるか判断する配置判定手段と、前記配置判定手段により、前記指定された抵抗値の抵抗体が前記指定された配線上に該配線の経路に沿って配置可能であると判断された場合、前記指定された配線上に該配線の経路に沿って、前記指定された抵抗値の抵抗体を発生する抵抗体発生手段とを具備することを特徴とする。
【００１０】
本発明は、請求項２記載の基板設計装置において、前記配置判定手段により、前記指定された抵抗値の抵抗体が前記指定された配線上に該配線の経路に沿って配置可能と判断された場合、前記抵抗体発生手段により発生された抵抗体の形状をオペレータに提示する提示手段を具備することを特徴とする。
【００１１】
本発明は、請求項２または３記載の基板設計装置において、前記配置判定手段により、前記指定された抵抗値の抵抗体が前記指定された配線上に該配線の経路に沿って配置不可と判断された場合、足りない配線長をオペレータに提示する提示手段を具備することを特徴とする。
【００１２】
本発明は、請求項２ないし４のいずれかに記載の基板設計装置において、前記抵抗体は、前記指定された配線に隣接する配線に電気的、物理的に干渉しない許容範囲内の幅を有することを特徴とする。
【００１３】
また、この発明は上記の課題を解決すべくなされたもので、基板の製造過程に基板上に配置される受動素子を設計する基板設計方法であって、前記基板上の指定された抵抗値の抵抗体を前記基板上の指定された配線上に該配線の経路に沿って配置した場合における前記抵抗体の長さを算出し、前記指定された配線の長さと前記抵抗体の長さとに基づいて、前記指定された抵抗値の抵抗体が配置可能であるか判断し、前記配置判定手段により、前記指定された抵抗値の抵抗体が前記指定された配線上に該配線の経路に沿って配置可能であると判断された場合、前記指定された配線上に該配線の経路に沿って、前記指定された抵抗値の抵抗体を発生することを特徴とする。
【００１４】
本発明は、請求項６記載の基板設計方法において、前記指定された抵抗値の抵抗体が前記指定された配線上に該配線の経路に沿って配置可能と判断された場合、前記抵抗体発生手段により発生された抵抗体の形状をオペレータに提示することを特徴とする。
【００１５】
本発明は、請求項６記載の基板設計方法において、前記指定された抵抗値の抵抗体が前記指定された配線上に該配線の経路に沿って配置不可と判断された場合、足りない配線長をオペレータに提示することを特徴とする。
【００１６】
また、本発明は、請求項６ないし８のいずれかに記載の基板設計方法において、前記抵抗体は、前記指定された配線に隣接する配線に電気的、物理的に干渉しない許容範囲内の幅を有することを特徴とする。
【００１７】
また、この発明は上記の課題を解決すべくなされたもので、基板の製造過程に基板上に配置される抵抗体を設計する基板設計プログラムであって、前記基板上の指定された抵抗値の抵抗体を前記基板上の指定された配線上に該配線の経路に沿って配置した場合における前記抵抗体の長さを算出する抵抗長算出ステップと、前記指定された配線の長さと前記抵抗体の長さとに基づいて、前記指定された抵抗値の抵抗体が配置可能であるか判断する判断ステップと、前記指定された抵抗値の抵抗体が前記指定された配線上に該配線の経路に沿って配置可能であると判断された場合、前記指定された配線上に該配線の経路に沿って、前記指定された抵抗値の抵抗体を発生する抵抗体発生ステップとをコンピュータに実行させることを特徴とする。
【００１８】
また、本発明は、請求項１０記載の基板設計プログラムにおいて、抵抗体発生ステップは、前記指定された配線に隣接する配線に電気的、物理的に干渉しない許容範囲内の幅を有する前記抵抗体を発生することを特徴とする。
【発明の効果】
【００１９】
以上説明したように、本発明によれば、配置判定手段により、前記基板上の指定された配線上に該配線の経路に沿って、指定された電気的特性の受動素子が配置可能であるか判断し、前記指定された電気的特性の受動素子が指定された配線上に該配線の経路に沿って配置可能であると判断された場合、受動素子発生手段により、前記指定された配線上に該配線の経路に沿って前記指定された電気的特性の受動素子を発生する。
したがって、電気的特性により一意に決まってしまう形状や設置面積にとらわれることなく、基板上の配線上に所望する電気的特性を有する受動素子を配置することができるので、受動素子の配置作業効率、設計の自由度を向上させることができるという効果が得られる。
【００２０】
また、本発明によれば、抵抗長算出手段により、前記基板上の指定された抵抗値の抵抗体を前記基板上の指定された配線上に該配線の経路に沿って配置した場合における前記抵抗体の長さを算出し、配置判定手段により、前記指定された配線の長さと前記抵抗体の長さとに基づいて、前記指定された抵抗値の抵抗体が配置可能であるか判断し、前記指定された抵抗値の抵抗体が前記指定された配線上に該配線の経路に沿って配置可能であると判断された場合、抵抗体発生手段により、前記指定された配線上に該配線の経路に沿って、前記指定された抵抗値の抵抗体を発生する。
したがって、抵抗値により一意に決まってしまう形状や設置面積にとらわれることなく、基板上の配線上に所望する抵抗値を有する抵抗体を配置することができるので、抵抗体の配置作業効率、設計の自由度を向上させることができるという効果が得られる。
【００２１】
また、本発明によれば、前記指定された抵抗値の抵抗体が前記指定された配線上に該配線の経路に沿って配置可能と判断された場合、提示手段により、前記抵抗体発生手段により発生された抵抗体の形状をオペレータに提示する。
したがって、抵抗値により一意に決まってしまう形状や設置面積にとらわれることなく、基板上の配線上に所望する抵抗値を有する抵抗体を配置することができるので、抵抗体の配置作業効率、設計の自由度を向上させることができ、さらに、配置される抵抗体の形状を容易に確認することができるという効果が得られる。
【００２２】
また、本発明によれば、前記指定された抵抗値の抵抗体が前記指定された配線上に該配線の経路に沿って配置不可と判断された場合、提示手段により、足りない配線長をオペレータに提示する。
したがって、抵抗値により一意に決まってしまう形状や設置面積にとらわれることなく、基板上の配線上に所望する抵抗値を有する抵抗体を配置することができるので、抵抗体の配置作業効率、設計の自由度を向上させることができ、さらに、所望する抵抗値の抵抗体を配置するためには、どの程度の配線長があればよいか容易に判断できるという効果が得られる。
【００２３】
また、本発明によれば、前記抵抗体を前記指定された配線に隣接する配線に電気的、物理的に干渉しない許容範囲内の幅とする。
したがって、抵抗値により一意に決まってしまう形状や設置面積にとらわれることなく、基板上の配線上に所望する抵抗値を有する抵抗体を配置することができるので、抵抗体の配置作業効率、設計の自由度を向上させることができるという効果が得られる。
【００２４】
また、本発明によれば、前記基板上の指定された抵抗値の抵抗体を前記基板上の指定された配線上に該配線の経路に沿って配置した場合における前記抵抗体の長さを算出し、前記指定された配線の長さと前記抵抗体の長さとに基づいて、前記指定された抵抗値の抵抗体が配置可能であるか判断し、前記配置判定手段により、前記指定された抵抗値の抵抗体が前記指定された配線上に該配線の経路に沿って配置可能であると判断された場合、前記指定された配線上に該配線の経路に沿って、前記指定された抵抗値の抵抗体を発生する。
したがって、抵抗値により一意に決まってしまう形状や設置面積にとらわれることなく、基板上の配線上に所望する抵抗値を有する抵抗体を配置することができるので、抵抗体の配置作業効率、設計の自由度を向上させることができるという効果が得られる。
【００２５】
また、本発明によれば、前記指定された抵抗値の抵抗体が前記指定された配線上に該配線の経路に沿って配置可能と判断された場合、前記抵抗体発生手段により発生された抵抗体の形状をオペレータに提示する。
したがって、抵抗値により一意に決まってしまう形状や設置面積にとらわれることなく、基板上の配線上に所望する抵抗値を有する抵抗体を配置することができるので、抵抗体の配置作業効率、設計の自由度を向上させることができ、さらに、配置される抵抗体の形状を容易に確認することができるという効果が得られる。
【００２６】
また、本発明によれば、前記指定された抵抗値の抵抗体が前記指定された配線上に該配線の経路に沿って配置不可と判断された場合、足りない配線長をオペレータに提示する。
したがって、抵抗値により一意に決まってしまう形状や設置面積にとらわれることなく、基板上の配線上に所望する抵抗値を有する抵抗体を配置することができるので、抵抗体の配置作業効率、設計の自由度を向上させることができ、さらに、所望する抵抗値の抵抗体を配置するためには、どの程度の配線長があればよいか容易に判断できるという効果が得られる。
【００２７】
また、本発明によれば、前記指定された配線に隣接する配線に電気的、物理的に干渉しない許容範囲内の幅を有する抵抗体を発生する。
したがって、抵抗値により一意に決まってしまう形状や設置面積にとらわれることなく、基板上の配線上に所望する抵抗値を有する抵抗体を配置することができるので、抵抗体の配置作業効率、設計の自由度を向上させることができるという効果が得られる。
【００２８】
また、本発明によれば、前記基板上の指定された抵抗値の抵抗体を前記基板上の指定された配線上に該配線の経路に沿って配置した場合における前記抵抗体の長さを算出する抵抗長算出ステップと、前記指定された配線の長さと前記抵抗体の長さとに基づいて、前記指定された抵抗値の抵抗体が配置可能であるか判断する判断ステップと、前記指定された抵抗値の抵抗体が前記指定された配線上に該配線の経路に沿って配置可能であると判断された場合、前記指定された配線上に該配線の経路に沿って、前記指定された抵抗値の抵抗体を発生する抵抗体発生ステップとをコンピュータに実行させる。
したがって、抵抗値により一意に決まってしまう形状や設置面積にとらわれることなく、基板上の配線上に所望する抵抗値を有する抵抗体を配置することができるので、抵抗体の配置作業効率、設計の自由度を向上させることができるという効果が得られる。
【００２９】
また、本発明によれば、抵抗体発生ステップでは、前記指定された配線に隣接する配線に電気的、物理的に干渉しない許容範囲内の幅を有する前記抵抗体を発生する。
したがって、抵抗値により一意に決まってしまう形状や設置面積にとらわれることなく、基板上の配線上に所望する抵抗値を有する抵抗体を配置することができるので、抵抗体の配置作業効率、設計の自由度を向上させることができるという効果が得られる。
【発明を実施するための最良の形態】
【００３０】
以下、本発明を実施するための最良の形態について説明する。
【００３１】
Ａ．実施形態の構成
図１は、本発明の一実施形態による回路設計装置の構成を示すブロック図である。図において、回路設計部１は、予め入力部から入力された回路図情報に従って、プリント基板上に対する配線パターンを設計する。配線データ記憶部２は、設計された配線パターン情報を記憶する。入力部３は、キーボードやポインティングデバイスなどからなり、上記回路情報や、後述するように、プリント基板上に配置すべき抵抗体の配線（以下、指定配線）や、抵抗体の抵抗値（指定抵抗値）などを入力する。表示部４は、設計された配線パターンや、後述するプリント基板上に配置される抵抗体などを表示する。
【００３２】
抵抗長算出部５は、指定抵抗値を有する抵抗体の長さを算出する。該抵抗体は、導電性ペーストからなり、指定配線上にその経路に沿って形成されるようになっており、その幅は、指定配線の幅と同じか、もしくはそれ以下とする。但し、抵抗体の幅は、これに限定されることなく、指定配線に隣接する配線と電気的、物理的に干渉しない許容範囲内の幅を有するものであればよい。
【００３３】
抵抗体基本データ記憶部６は、上記指定抵抗値の抵抗体の長さを算出する際に必要とされる基本データとして、図２に示すように、導電性ペーストの導電率ρ、配線幅Ｗ、抵抗体幅Ｗｒおよび抵抗体厚みＴｒを予め記憶している。配置判定部７は、指定配線の長さと、算出した抵抗体の長さを比較し、指定配線上に指定抵抗値の抵抗体が配置可能であるかを判定する。
【００３４】
抵抗体発生部８は、指定配線上に指定抵抗値の抵抗体が配置可能と判定された場合に、指定配線上にその経路に沿って配置される、指定配線の幅と同じか、もしくはそれ以下の幅（上述の図２の基本パラメータに従う）を有する抵抗体を発生する。提示制御部９は、上記配置判定部７により、指定配線上に指定抵抗値の抵抗体が配置不可能と判定された場合には、足りない配線の長さを、表示部４に表示してオペレータに提示したり、指定配線上に指定抵抗値の抵抗体が配置可能と判定された場合には、指定配線とともに抵抗体の形状を、表示部４に表示してオペレータに提示する。
【００３５】
Ｂ．実施形態の動作
図３は、本発明の一実施形態による基板設計方法の処理手順を示すフローチャートである。まず、オペレータ（例えば、設計者）が、入力部３により、抵抗体（受動素子）を形成する、プリント基板の配線を指定し（Ｓ１）、該指定配線上に形成したい抵抗体の抵抗値を入力する（Ｓ２）。次に、抵抗長算出部５は、指定抵抗値の抵抗体の長さを算出する（Ｓ３）。より具体的には、数式１に従って、指定配線の幅と同じか、もしくはそれ以下の幅（この場合、図２に示す抵抗体幅Ｗｒを用いるので指定配線の幅以下となる）を有する抵抗体長さＬＴを求める。
【００３６】
【数１】
2005309730.tif 000003
【００３７】
ここで、ρは、抵抗体の導電率、Ｓは、抵抗体配線の断面積（厚みＴｒ×抵抗体幅Ｗｒ）、Ｒは指定抵抗値である。なお、抵抗体幅Ｗｒは、配線幅Ｗと同じであってもよい。
【００３８】
次に、配置判定部７は、指定配線の長さと、算出した抵抗体長さＬＴとを比較し、指定配線上に指定抵抗値の抵抗体が配置可能であるかを判定する（Ｓ４）。そして、指定配線上に指定された抵抗値Ｒ、抵抗体長さＬＴの抵抗体が配置可能であるか否かを判断する（Ｓ５）。すなわち指定配線の長さ≧指定抵抗長さＬＴであるか否かを判断する。そして、指定配線の長さ＜指定抵抗長さＬＴとなった場合、すなわち指定配線上に指定抵抗値の抵抗体が配置できない場合には、足りない配線の長さを、提示制御部９により、表示部４に表示してオペレータに明示する（Ｓ６）。
【００３９】
一方、指定配線の長さ≧指定抵抗長さＬＴとなった場合、すなわ指定配線上に指定抵抗値の抵抗体が配置可能である場合には、図４（ａ）、（ｂ）に示すように、抵抗体発生部８により、指定配線上にその経路に沿って配置される、指定配線の幅と同じか、もしくはそれ以下の幅（上述の図２の基本パラメータに従う）を有する抵抗体を発生する（Ｓ７）。そして、提示制御部９により、指定配線とともに抵抗体の形状を、表示部４に表示してオペレータに提示する（Ｓ８）。図４（ａ）には、配線幅と同じ幅を有する抵抗体２０が配置された一例を示しており、図４（ｂ）には、配線幅より狭い幅を有する抵抗体２１が配置された一例を示している。
【００４０】
上述した実施形態によれば、従来のように抵抗値により一意に決まってしまう形状や設置面積にとらわれることなく、基板上の配線上に所望する抵抗値を有する抵抗体を配置することができるので、抵抗体の配置作業効率、設計の自由度を向上させることができる。
【００４１】
なお、上述した実施形態においては、抵抗長算出部５、配置判定部７、提示制御部９などは、コンピュータシステム内で実行される。そして、上述した抵抗長算出部５、配置判定部７、提示制御部９による一連の処理の過程は、プログラムの形式でコンピュータ読み取り可能な記録媒体に記憶されており、このプログラムをコンピュータが読み出して実行することによって、上記処理が行われる。すなわち、ＣＰＵ等の中央演算処理装置がＲＯＭやＲＡＭ等の主記憶装置に上記プログラムを読み出して、情報の加工・演算処理を実行することにより、実現されるものである。
【００４２】
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００４３】
【図１】本発明の一実施形態による基板設計装置の構成を示すブロック図である。
【図２】指定抵抗値の抵抗体の長さを算出する際に必要とされる基本データの一例を示す概念図である。
【図３】本実施形態による抵抗体生成の処理手順を示すフローチャートである。
【図４】指定配線とともに提示される抵抗体の一例を示す模式図である。
【符号の説明】
【００４４】
１…回路設計部
２…配線データ記憶部
３…入力部
４…表示部
５…抵抗長算出部（抵抗長算出手段）
６…抵抗体基本データ記憶部
７…配置判定部（配置判定手段）
８…抵抗体発生部（受動素子発生手段、抵抗体発生手段）
９…提示制御部（提示手段）
【図１】
2005309730.tif 000004
【図２】
2005309730.tif 000005
【図３】
2005309730.tif 000006
【図４】
2005309730.tif 000007